(57)【要約】      （修正有）【課題】室内空気をストーブや暖炉等の室内暖房器具を通して室内の空気を加温するにあたり、環境ホルモン、細菌、ウイルスを除去して、それらを含まない室内環境を作ること。【解決手段】固体燃料供給口及び燃焼用給気口２９を備える燃焼室３、前記燃焼室に連通し、排気口３０を備える燃焼ガス排気室１３、その側壁に接して設けられている暖房用室内空気加熱室３９と、一端が前記暖房用室内空気加熱室に接続し、前記燃焼ガス排気室内を通って暖房される室内に開口する暖房用室内空気管４０と、一端が室内空気口に接続し、他方が室内空気用送風ファン３３を介して前記暖房用室内空気加熱室に接続する室内空気供給管と、その中途に設けられ、内部に光触媒が配設される光触媒反応板３５及び反応用光源３６を備える光触媒反応室３４とを備えるストーブ。【選択図】図１
2005233540.tif 000002
【特許請求の範囲】
【請求項１】
固体燃料供給口及び燃焼用給気口を備える燃焼室と、前記燃焼室に連通し、該燃焼室の側壁に接して設けられ排気口を備える燃焼ガス排気室と、前記燃焼ガス排気室の側壁に接して設けられている暖房用室内空気加熱室と、一端が前記暖房用室内空気加熱室に接続し、前記燃焼ガス排気室内を通って暖房される室内に開口する暖房用室内空気管と、一端が室内空気口に接続し、他方が室内空気用送風ファンを介して前記暖房用室内空気加熱室に接続する室内空気供給管と、前記室内空気管の中途に設けられ、内部に光触媒が配設されている光触媒反応板及び反応用光源を備える光触媒反応室とを備えることを特徴とするストーブ。
【請求項２】
固体燃料供給装置が接続する固体燃料燃焼器を備える燃焼室と、前記燃焼室に連通し、該燃焼室の側壁に接して設けられている燃焼ガス排気室と、前記燃焼ガス排気室の側壁に接して設けられている暖房用室内空気加熱室と、一端が前記暖房用室内空気加熱室に接続し、前記燃焼ガス排気室内を通って暖房される室内に開口する暖房用室内空気管と、一端が外壁に設けられている吸気口に接続し、他方が給気用送風ファンを介して前記固体燃料燃焼器の底部に接続する燃焼用給気管と、一端が室内空気口に接続し、他方が室内空気用送風ファンを介して前記暖房用室内空気加熱室に接続する室内空気供給管と、前記室内空気供給管の中途に設けられ、内部に光触媒が配設されている光触媒反応板及び反応用光源を備える光触媒反応室とを備えることを特徴とするストーブ。
【請求項３】
天井部に排気口を備え、背部に固体燃料供給用開口を有し、該固体燃料供給用開口の下方に固体燃料燃焼部を備える燃焼室と、燃焼室の上部に連通し、燃焼室の天井部及び背部に壁部材を介して設けられ、その背部側壁部に排気口を有する燃焼ガス排気室と、燃焼ガス排気室の背部側壁部を介して燃焼ガス排気室に接する暖房用室内空気加熱室と、暖房用室内空気加熱室から燃焼室の天井部上の燃焼ガス排気室を通って室内に開口する暖房用室内空気管と、暖房用室内空気加熱室の背部に設けられ、底部に開口部が形成されている固体燃料貯槽と、前記固体燃料貯槽の底部開口部と燃焼室の背部の固体燃料供給用開口を結ぶ搬送路を備える固体燃料供給装置と、一方が前記燃焼ガス排気室に接続し、他方が排気用送風ファンを介して外壁の排気口に接続する燃焼ガス排気管と、一方が室内空気口に接続し、他方が室内空気用送風ファンを介して暖房用室内空気加熱室に接続する室内空気供給管と、室内空気供給管の中途に設けられ、内部に光触媒が配設されている光触媒反応板及び反応用光源を備える光触媒反応室とを備えることを特徴とするストーブ。
【請求項４】
光触媒が配設されている光触媒反応板がシート状の光触媒パネルであることを特徴とする請求項１、２又は３に記載のストーブ。
【請求項５】
光触媒が半導体光触媒であることを特徴とする請求項１乃至4の何れか一項に記載のストーブ。
【請求項６】
半導体光触媒が、ＴｉＯ２、ＺｎＯ、Ｎｂ２Ｏ５、ＷＯ、ＳｎＯ２、ＺｒＯ２、ＳｒＴｉＯ３、ＫＴａＯ３、Ｎｉ−Ｋ４Ｎｂ６Ｏ１７、ＣｄＳ、ＺｎＳ、ＣｄＳｅ若しくはＷＳｅの半導体光触媒又はこれら半導体光触媒の二以上の組合せた半導体光触媒であることを特徴とする請求項５に記載のストーブ。
【請求項７】
燃焼排気管の一部は、二重管に形成されて、外側の管部は燃焼用給気管となっており、内側の管部は燃焼用排気管であることを特徴とする請求項２又は３に記載のストーブ。
【発明の詳細な説明】
【技術分野】
【０００１】
本発明は、おが屑、木質ペレット、籾殻及びその他の個体燃料を燃料とするストーブに関し、特に、空気清浄機を備えるストーブに関する。また、本発明は、おが屑、木質ペレット、籾殻及びその他の個体燃料を燃料とする暖炉に関し、特に、空気清浄機を備える暖炉に関する。さらに、本発明は、冬季は暖炉又はストーブとして使用でき、夏季には空気清浄機を備える冷風機として使用可能の空調装置に関する。
【背景技術】
【０００２】
部屋の暖をとるために、レンガ製又は耐火ブロック製の薪等の固体燃料を使用する所謂薪形式の暖炉を室内に備えることは、既にペーチカ等において周知である。従来の多くの薪型式の暖炉は、室内に焚口が設けられ、室内で燃料を供給し燃焼させるような構造となっている。
【特許文献１】特公平６−８６９０号公報
【特許文献２】特開平１０−２３８８３７号公報
【発明の開示】
【発明が解決しようとする課題】
【０００３】
しかし、このように室内で暖をとるときは、暖気が室外に逃げるのを避けるために、室を出来る限り閉切りにするために、特に、長時間に亘り室を閉切りにすると、室内の空気は人の呼気により、ウイルスや細菌で汚れ、たばこの煙などの臭が残り、また、住宅建材などに使用されている塗料や接着剤から発生するホルムアルデヒド等の発がん性が指摘されている揮発性有機化合物（ＶＯＣ）が充満して、居住環境を悪くして問題である。しかも、室内に焚口が設けられると、室内の空気を燃焼に供することとなり、燃焼ガスの室内への混入が避けられないために、室内の空気を汚して悪くして問題である。そこで室内の空気の一部を外気と入れ替えて室内の室内空気の換気が行われる。しかし、室内空気の換気は、室内空気を温めた熱を失うこととなり、問題である。また、場所によっては、自動車等の排出ガスの侵入やダイオキシン等の環境ホルモンを含む外気の侵入、やインフルエンザウイルス及び細菌の侵入は避けられず、室内の空気の清浄化が問題とされている。
【０００４】
そこで、外部からの空気の取入れ口に集塵装置を備えるストーブは特許文献１の特公平６−８６９０号公報に示されている。しかし、微細なウイルスは完全に集塵されずに通過する虞があり、殊にインフルエンザの流行時等には問題である。また、暖炉の煙突の周囲を囲んで、室内換気用の空気ダクトを設けて、燃焼排ガスの排熱を利用して、換気ダクトを通って流入する外気を温めるようにした換気装置を備えるストーブは、例えば、特許文献２の特開平１０−２３８８３７号公報に示されている。しかし、換気によっても、ホルムアルデヒド等の前記揮発性有機化合物や室内のタバコの煙は、室内に残留するので、依然問題である。殊に冬季は、インフルエンザの流行期でもあり、また、外気にダイオキシン等の環境ホルモンが含まれている場合には、外気をそのまま室内に導入することは、決して好ましいことではない。
本発明は、従来のストーブや暖炉等の室内暖房器具の外気の導入又は室内空気の循環にあたり、空気の浄化に係る問題点を解決することを目的としている。
【課題を解決するための手段】
【０００５】
本発明は、ストーブや暖炉等の室内暖房器具において、室内の空気を加温するために、室内空気を加熱器を通して加熱するにあたり、その加熱器への導入過程で室内空気を殺菌又は酸化処理して、室内空気に微量に含まれる揮発性有機質化合物やタバコの煙やダイオキシン等の環境ホルモンやインフルエンザ等のウイルスなどを分解除去して、揮発性有機質化合物、やタバコの煙、ダイオキシン等の環境ホルモン、細菌、及びインフルエンザ等のウイルスを含まない室内環境を作ることを目的としている。
【０００６】
即ち、本発明は、固体燃料供給口及び燃焼用給気口を備える燃焼室と、前記燃焼室に連通し、該燃焼室の側壁に接して設けられ排気口を備える燃焼ガス排気室と、前記燃焼ガス排気室の側壁に接して設けられている暖房用室内空気加熱室と、一端が前記暖房用室内空気加熱室に接続し、前記燃焼ガス排気室内を通って暖房される室内に開口する暖房用室内空気管と、一端が室内空気口に接続し、他方が室内空気用送風ファンを介して前記暖房用室内空気加熱室に接続する室内空気供給管と、前記室内空気管の中途に設けられ、内部に光触媒が配設されている光触媒反応板及び反応用光源を備える光触媒反応室とを備えることを特徴とするストーブにあり、また、本発明は、固体燃料供給装置が接続する固体燃料燃焼器を備える燃焼室と、前記燃焼室に連通し、該燃焼室の側壁に接して設けられている燃焼ガス排気室と、前記燃焼ガス排気室の側壁に接して設けられている暖房用室内空気加熱室と、一端が前記暖房用室内空気加熱室に接続し、前記燃焼ガス排気室内を通って暖房される室内に開口する暖房用室内空気管と、一端が外壁に設けられている吸気口に接続し、他方が給気用送風ファンを介して前記固体燃料燃焼器の底部に接続する燃焼用給気管と、一端が室内空気口に接続し、他方が室内空気用送風ファンを介して前記暖房用室内空気加熱室に接続する室内空気供給管と、前記室内空気供給管の中途に設けられ、内部に光触媒が配設されている光触媒反応板及び反応用光源を備える光触媒反応室とを備えることを特徴とするストーブにあり、さらに、本発明は、天井部に排気口を備え、背部に固体燃料供給用開口を有し、該固体燃料供給用開口の下方に固体燃料燃焼部を備える燃焼室と、燃焼室の上部に連通し、燃焼室の天井部及び背部に壁部材を介して設けられ、その背部側壁部に排気口を有する燃焼ガス排気室と、燃焼ガス排気室の背部側壁部を介して燃焼ガス排気室に接する暖房用室内空気加熱室と、暖房用室内空気加熱室から燃焼室の天井部上の燃焼ガス排気室を通って室内に開口する暖房用室内空気管と、暖房用室内空気加熱室の背部に設けられ、底部に開口部が形成されている固体燃料貯槽と、前記固体燃料貯槽の底部開口部と燃焼室の背部の固体燃料供給用開口を結ぶ搬送路を備える固体燃料供給装置と、一方が前記燃焼ガス排気室に接続し、他方が排気用送風ファンを介して外壁の排気口に接続する燃焼ガス排気管と、一方が室内空気口に接続し、他方が室内空気用送風ファンを介して暖房用室内空気加熱室に接続する室内空気供給管と、室内空気供給管の中途に設けられ、内部に光触媒が配設されている光触媒反応板及び反応用光源を備える光触媒反応室とを備えることを特徴とするストーブにある。本発明において、光触媒が配設されている光触媒反応板はシート状の光触媒パネルとすることができ、ここで、光触媒は、半導体光触媒であって、例えば、ＴｉＯ２、ＺｎＯ、Ｎｂ２Ｏ５、ＷＯ、ＳｎＯ２、ＺｒＯ２、ＳｒＴｉＯ３、ＫＴａＯ３、Ｎｉ−Ｋ４Ｎｂ６Ｏ１７、ＣｄＳ、ＺｎＳ、ＣｄＳｅ若しくはＷＳｅの半導体光触媒又はこれら半導体光触媒を二以上の組合せた半導体光触媒とすることができる。
【発明の効果】
【０００７】
本発明において、ストーブは、固体燃料供給口及び燃焼用給気口を備える燃焼室と、前記燃焼室に連通し、該燃焼室の側壁に接して設けられ排気口を備える燃焼ガス排気室と、前記燃焼ガス排気室の側壁に接して設けられている暖房用室内空気加熱室と、一端が前記暖房用室内空気加熱室に接続し、前記燃焼ガス排気室内を通って暖房される室内に開口する暖房用室内空気供給管と、一端が外壁の室内空気口に接続し、他方が室内空気用送風ファンを介して前記暖房用室内空気加熱室に接続する室内空気管と、前記室内空気管の中途に設けられ、内部に光触媒が配設されている光触媒反応板及び反応用光源を備える光触媒反応室とを備えるので、室内空気は室内に供給される前に、光触媒反応、例えば、半導体光触媒反応により、臭気、タバコの煙、室内空気中に含まれる発がん性が指摘されている揮発性有機化合物、ウイルス及び環境ホルモンなどの有害物質又は不快物質を酸化又は酸化分解して除去することができる。
【発明を実施するための最良の形態】
【０００８】
本発明において、「酸化」の用語は、酸化又は酸化分解を意味し、「酸化処理」の用語は酸化処理又は酸化分解処理を意味し、「被酸化物質」の用語は、酸化又は酸化分解される物質を意味する。本発明において、室内空気は暖炉を介して循環される。暖炉に取り込まれる室内空気は、運転されるファンを介して室内から取り込まれ、内部に、光触媒が配設されている光触媒反応板及び反応用光源を備える光触媒反応室に通されて、光触媒反応により酸化処理されて、室内から取込まれた室内空気中に含有されるＮＯｘ、ウイルス、細菌、発がん性が指摘されている揮発性有機化合物及び環境ホルモン等の有害物質を酸化して除去し、次いで加熱して、温い清浄な空気として室内に戻すことができる。この循環される室内の空気の酸化処理は、光触媒として、例えば半導体光触媒を使用する光触媒反応により行うことができる。このときの光反応は、被酸化物質が半導体光触媒に吸着されて行われると考えられるので、半導体光触媒による室内空気の光酸化処理は、吸着量の大きい条件で行われるのが好ましく、例えば、一般的には温度が低い方が好ましい。したがって、室内空気を加熱する前に、例えば、室内空気の取入れ口近傍に光触媒反応室を設けて、取入れ口から取入れられた室内空気について光酸化処理を行なうのが好ましい。本発明において、室内空気は、室内空気及び換気により導入される外気を包含する。
【０００９】
本発明において、使用される光触媒は、空気中に含有されるＮＯｘ、タバコの煙及びその臭い、ウイルス、細菌、発がん性が指摘されている揮発性有機化合物及び環境ホルモン等の有害物質を酸化できる光触媒であり、例えば、ＴｉＯ２、ＺｎＯ、Ｎｂ２Ｏ５、ＷＯ、ＳｎＯ２、ＺｒＯ２、ＳｒＴｉＯ３、ＫＴａＯ３、Ｎｉ−Ｋ４Ｎｂ６Ｏ１７、ＣｄＳ、ＺｎＳ、ＣｄＳｅ若しくはＷＳｅの半導体光触媒又はこれら半導体光触媒の二以上の組合せたものとすることができる。本発明において、半導体光触媒として二酸化チタンを使用することができる。半導体光触媒として使用される二酸化チタンは、粒子状若しくは微粒子の二酸化チタン、又は金属板、ガラス板若しくはセラミックス板上に形成された薄膜状の二酸化チタンがある。
【００１０】
本発明において、光触媒、特に二酸化チタン光触媒を活性化するには、４００ｎｍ以下の波長の光を必要とする。このような光を発するランプとしては、２５４ｎｍの波長の光を発する殺菌ランプ、３５２ｎｍの波長の光を発する光化学用ランプ、３５２ｎｍの波長の光を発するブラックライトランプ、３５２ｎｍの波長の光を発する冷陰極蛍光ランプ及び２５４ｎｍの波長の光を発する冷陰極殺菌ランプなどがある。
【００１１】
本発明において、室内空気は、室内空気吸気口から暖房用室内空気管に吸引されて、光触媒反応室に送られて酸化処理されて、浄化され、暖房用室内空気加熱室内に送られる。暖房用室内空気加熱室内に送られた浄化された空気は、燃焼ガス排気室を流れる燃焼ガスの排熱により加熱されて、続く暖房用室内空気供給管内に送られる。暖房用室内空気供給管内に送られた浄化され加熱された空気は、燃焼室から燃焼ガス排気室に流入する燃焼ガスにより加熱されて、暖房される室内に放出される。本発明において、暖房用室内空気加熱室は、燃焼ガス排気室に対して、仕切り壁を介して接して設けられ、暖房用室内空気供給管は、燃焼ガス排気室内に設けられる。
【００１２】
本発明において、燃焼ガス排気室は、燃焼室の天井部又は側部に形成される排気口から燃焼ガスが流入できるように、排気口に接続して、燃焼室を囲んで形成される。燃焼室においては、燃焼により生ずる火炎の輻射熱が暖房される室内に及ぶように、燃焼室の背面部及び天井部には、反射鏡を設けることができる。この場合、燃焼炎の一部が燃焼ガス排気室内に導入されるように、天井部の反射鏡は、一部、例えば中央部を繰り抜いて、煙道の入口とすることができる。本発明において、背面部には排気口を形成することができる。この場合、燃焼室内が可及的に均一に加熱されるように、排気口の位置を適宜分散させることができる。
【００１３】
本発明において、燃焼室内に固体燃料の燃焼用の炉を設け、燃焼室外に固体燃料の貯槽を設け、該固体燃料貯槽から固体燃料を炉に、連続的又は間歇的に供給できるように固体燃料搬送路を設けるのが好ましい。この場合、固体燃料搬送路は、貯槽底部に一端を接続して、燃焼室の背部側壁又は側部側壁を貫通し、他端が燃焼室内の炉に固体燃料を供給可能に位置する固体燃料搬送管に形成することができる。固体燃料搬送管は、管内部に、コンベヤ、チェーンコンベヤ、スクリューコンベヤ等を備えて形成することができる。本発明において、燃焼室は暖房される室内に燃焼ガスが排出されないように、暖房される室内に面する箇所は、耐熱性の金属材料や熱線透過性の透明材料で形成することができる。
【実施例】
【００１４】
以下、添付図面を参照して、本発明の一実施例を説明するが、本発明は、以下の説明及び例示により何ら限定されるものではない。
図１は、本発明のストーブの一実施例を一部破断して示す概略の側面図である。図２は、本発明のストーブの他の一実施例を一部破断して示す概略の側面図である。図1及び図2において、対応する箇所には同一の符号が付されている。
【００１５】
図１に示す実施例において、ストーブ１は、前方に炉２を備えて、燃焼室３が形成されており、その後方に固体燃料貯槽４が設けられている。本例において、固体燃料貯槽４の底部出口５には、スクリューコンベヤ装置６が接続しており、その排出部７は、炉２の上部に開口している。本例において、燃焼室３の天井部８の中央部には開口部９が形成されており、開口部９には筒状部材１０で囲われて加熱室１１が形成されている。加熱室１１の上部は、被加熱物を加熱できるように、加熱板１２で覆われており、燃焼室３の燃焼ガスの一部はこの開口部９から加熱室１１に入り、加熱板１２を加熱して、燃焼室３に戻る。筒状部材１０の一部には、燃焼ガス流出用の穴又は隙間（図示されていない）が形成されており、加熱室１１に侵入した燃焼ガスの一部は、前記穴又は隙間を介して燃焼ガス排気室１３に流入する。本例において、燃焼室３の背面部１４及び天井部８は反射鏡部材で形成されており、開口部９の周囲は反射鏡部材で形成されている。
【００１６】
本例において、炉２は燃焼室3の前方側壁１５に取付けられている支持ブラケット１６の上端部に形成されている溝１７に、炉２の下方に突出る係合突片部１８を係合して、炉２が前記支持ブラケット１６により片持ちに支持されている。炉２の下方には燃焼用空気が導入される箱形部１９が形成されており、その下部には、燃焼用の給気管１８が接続している。本例において、炉２の箱形部１９の下部には燃焼用給気管２０が接続しており、炉２の底部には、着火用の電熱線２１が設けられている。本例において、炉２の下方には、灰受け部２２が設けられている。
【００１７】
燃焼室３の天井部８の上方及び背部１４の後方には燃焼ガス排気室１３が形成されている。本例において、燃焼ガス排気室１３内の一部には、固体燃料供給用のスクリューコンベヤ６を通す空間が、仕切り壁２３、２４及び２５で区画して形成されている。燃焼ガス排気室１３には、排気ファン２６に接続する燃焼ガス排出管２７が接続している。本例において、排気ファン２６の駆動により、燃焼ガスが燃焼ガス排出ダクト２８から強制的に排出される。この燃焼ガスの排出により燃焼室３内は負圧になり、燃焼用空気の吸込み管２９から吸込まれて箱形の支持ブラケット１６内に導入される。炉２内の固体燃料は、電熱線２１により加熱されて、燃焼する。固体燃料の燃焼による火炎は、開口部９を通って燃焼ガス加熱室１１に入る。また残りの燃焼ガスは、燃焼室の両側で燃焼ガス排気室１３に開口する燃焼ガス排出孔３０から燃焼ガス排気室１３に入る。
【００１８】
本例において、室内空気浄化装置３１は、室内空気吸込み口３２を備える送風ファン３３及び筒状の光触媒反応室３４を備えている。光触媒反応室３４は、光触媒の二酸化チタン面３５が内側に保持されている光触媒反応板により形成されており、前記反応室３４内にはケミカルランプ３６が配置されている。送風ファン３３の駆動により室内空気吸込み口３２から吸入された室内空気は、光触媒反応室３５内にその入口部３７から導入されて、ケミカルランプ３６の照射下に光触媒の作用下に酸化処理されて、該室内空気に含まれている臭気、発がん性が指摘されている揮発性有機化合物、タバコの煙、ウイルス、細菌及び環境ホルモン等は酸化されて分解除去される。光触媒反応室３５の出口３８は暖房用室内空気加熱室３９に接続して設けられており、ウイルス、細菌及び環境ホルモン等の有害物質が酸化分解除去されて清浄化された室内空気は、光触媒反応室３５の出口３８から暖房用室内空気加熱室３９に流入し、暖房用室内空気加熱室３９の上部に接続する複数の暖房用室内空気供給管４０に流入して、暖房用室内空気供給管４０から室内に流出する。
【００１９】
本例において、暖房用室内空気加熱室３９の下部には、給気用空気の吸込み管２９から給気用空気を通す空間が、仕切り壁４１、４２及び４３で区画されて形成されており、また、その上方には、燃焼ガス排出管２７が通されている。さらに、暖房用室内空気加熱室３９には、その上方に、固体燃料供給用スクリューコンベヤ６を通す空間が、仕切り壁４４、４５及び４６で区画して形成されている。本例において、燃焼室３の前面には、耐熱性ガラス製の熱放射板４７が取付けられている。本例においては、耐熱ガラス製の熱放射板４７には、熱放射板４７の内面に煤等が付着して曇らないように、熱放射板４７の内面に沿って、気流が流れるように配慮されている。即ち、本例においては、燃焼室３は負圧になっているので、室内から燃焼室内に室内空気が流入するように、上部壁部４８に空気吸引孔４９が形成されており、さらに、燃焼室３内に流入した気流が、熱放射板４７に向けられるように、燃焼室３の天井部８の前面側端部５０には、熱放射板４７に向けて気流案内板５１が取付けられている。本例において、気流案内板５１と加熱板４７の間には、隙間５２が形成されており、その隙間５２を通って、外気が加熱板４７上を流れて、熱放射板４７上への煤等の付着を防止することができる。本例において、全体をステンレス鋼等の鋼材又は鉄材で形成することができるが、特に、高温に加熱される炉、燃焼室及び燃焼ガス排気室を、鋼材、鉄材で形成し、比較的温度の低い室内空気流路、給気流路、排気管、固体燃料貯槽及びスクリューコンベヤ等はステンレス鋼で形成することができる。
【００２０】
本例は、以上のように構成されているので、例えば、粒度５ｍｍの木質ペレット等の固体燃料は、固体燃料貯槽４からスクリューコンベヤ６の作動により、燃焼室３の炉２内に供給される。固体燃料が炉2内に供給されたところで、電熱線を加熱して固体燃料に着火する。一方、燃焼ガス排気ファン２６を作動して、燃焼室３内の燃焼ガスを排気し、燃焼室内を負圧にして、燃焼用空気を燃焼室３の炉２内に供給し、炉２内の固体燃料を燃焼させる。
【００２１】
一定時間固体燃料を燃焼させたところで、室内空気の送風ファン３３を作動させて、室内空気を、室内空気吸込み口３２から吸入する。吸入された室内空気は、光触媒反応室３６内に入口３７から導入されて、酸化処理される。光触媒反応室３４は、ケミカルランプ３６を中央に位置させて、その周囲を、二酸化チタン光触媒面３５を内側に設けた二酸化チタン光触媒反応板により囲んで形成されており、吸入された室内空気は、ケミカルランプ３６の光照射下の二酸化チタン光触媒面３５に接して流れ、その間に酸化処理される。酸化処理された室内空気は、光触媒反応室３４の出口３８から、暖房用室内空気加熱室３９に流入して、暖房用室内空気加熱室３９と接する燃焼ガス排気室１３の燃焼ガスの熱により加熱される。加熱された暖房用室内空気は、暖房用室内空気加熱室３６から、複数の暖房用室内空気供給管４０から暖房される室内に流入して、室内の暖房を行う。
【００２２】
図２に示す実施例は、図１に示した実施例と対比して、燃焼用給気管部５３と燃焼ガス排気管部５４とを二重管５５に纏めて、燃焼用給気管部５３を燃焼ガス排気管部５４の周囲に配置して、燃焼用給気管部５３を流れる給気を、燃焼ガス排気管部５４を流れる燃焼ガスの熱で予熱する構造に形成した点と、図２の実施例においては、図１の実施例に比して、燃焼室の灰受け領域を小さくし、燃焼室３の下方に、小形化した灰受け部材５６を設けた点、室内空気浄化装置３１を燃焼室３の下方に設けて、大型化して、該室内に複数個のケミカルランプ３６を設けて、空気に含まれている臭気、タバコの煙、発がん性が指摘されている揮発性有機化合物、ウイルス、細菌及び環境ホルモン等を酸化して除去する能力を強化させた点、及び燃焼ガス排気室１３及び暖房用空気加熱室３９に、夫々の室内を仕切る仕切り壁４０，４１，４２，４３，４４及び４５を無くした点で相違している。図２の実施例において、その他の点は、図１の実施例と同様である。
【００２３】
図２の実施例においては、室内空気吸込み口３２を備える送風ファン３３、室内空気用ダクト５５及び筒状の光触媒反応室３４を備えている。光触媒反応室３４は、光触媒の二酸化チタン面３５が内側に保持されている光触媒反応板により形成されており、光触媒反応室３４内には複数個のケミカルランプ３６が備えられている。送風ファン３３の駆動により室内空気吸込み口３３から吸入された室内空気は、室内空気送風ダクト５５に送られ、該送風ダクト５５から光触媒反応室３４内にその入口部３７から導入されて、ケミカルランプ３６の照射下に光触媒の作用下に酸化処理されて、該室内空気に含まれている臭気、タバコの煙、発がん性が指摘されている揮発性有機化合物、ウイルス、細菌及び環境ホルモン等は酸化されて分解除去される。光触媒反応室３４の出口３８は暖房用室内空気加熱室３９に連通して設けられており、臭気、タバコの煙、ＮＯｘ、揮発性有機化合物、ウイルス、細菌及び環境ホルモン等が酸化除去されて清浄化された室内空気は、光触媒反応室３４の出口３８から暖房用室内空気加熱室３９に流入し、暖房用室内空気加熱室３９において、燃焼ガス排気室１３に接して温められて、その上部に接続する複数の暖房用室内空気供給管４０に流入して、暖房用室内空気供給管４０から室内に流出して、室内を暖房する。
【産業上の利用可能性】
【００２４】
本発明は、ストーブが、固体燃料供給口及び燃焼用給気口を備える燃焼室と、前記燃焼室に連通し、該燃焼室の側壁に接して設けられ排気口を備える燃焼ガス排気室と、前記燃焼ガス排気室の側壁に接して設けられている暖房用室内空気加熱室と、一端が前記暖房用室内空気加熱室に接続し、前記燃焼ガス排気室内を通って暖房される室内に開口する暖房用室内空気供給管と、一端が外壁の室内空気口に接続し、他方が室内空気用送風ファンを介して前記暖房用室内空気加熱室に接続する室内空気管と、前記室内空気管の中途に設けられ、内部に光触媒が配設されている光触媒反応板及び反応用光源を備える光触媒反応室とを備えるので、例えば、冬季、暖房時に、室内に籠もり又は外気から侵入して、例えば臭気、タバコの煙、ウイルス、細菌、発がん性が指摘されている揮発性有機質化合物、環境ホルモン等により室内空気が汚染されても、ストーブにより暖房する過程で、光触媒による酸化反応により、室内空気中に含まれる臭気、タバコの煙、ウイルス、細菌、環境ホルモン及び揮発性有機化合物などを、酸化して除去することができ、流行によるウイルスや細菌による感染や、臭気、タバコの煙、発がん性が指摘されている揮発性有機質化合物及び環境ホルモン等により健康が阻害されるのを防止でき、したがって、産業上の利用性が大きい。
【図面の簡単な説明】
【００２５】
【図１】本発明のストーブの一実施例を一部破断して示す概略の側面図である。
【図２】本発明のストーブの他の一実施例を一部破断して示す概略の側面図である。
【符号の説明】
【００２６】
１  ストーブ
２  炉
３  燃焼室
４  固体燃料貯槽
５  固体燃料貯槽４の底部出口
６  スクリューコンベヤ装置
７  スクリューコンベヤ装置６の排出部
８  燃焼室３の天井部
９  開口部
１０  筒状部材
１１  加熱室
１２  加熱板
１３  燃焼ガス排気室
１４  燃焼室３の背部
１５  燃焼室の前方
１６  支持ブラケット
１７  溝
１８  炉２の係合突片部
１９  炉２の底部
２０  燃焼用の給気管
２１  電熱線
２２  灰受け部
２３、２４、２５，４１，４２、４３，４４，４５及び４６  仕切り壁
２６  排気ファン
２７  燃焼ガス排出管
２８  燃焼ガス排出ダクト
２９  燃焼用空気の吸込み管
３０  燃焼ガス排出孔
３１  室内空気浄化装置
３２  室内空気吸込み口
３３  送風ファン
３４  光触媒反応室
３５  二酸化チタン面
３６  ケミカルランプ
３７  光触媒反応室３４の入口部
３８  光触媒反応室３４の出口部
３９  暖房用室内空気加熱室
４０  暖房用室内空気供給管
４７  熱放射板
４８  燃焼室３の上部壁部
４９  空気吸引口
５０  天井部８の前部側端部
５１  気流案内板
５２  隙間
５３  燃焼用給気管部
５４  燃焼ガス排気管部
５５  送風ダクト
５６  灰受け部材
【図１】
2005233540.tif 000003
【図２】
2005233540.tif 000004